(57)【要約】【課題】炉内に未燃燃料が所定以上溜まった場合には、送風機による炉内への燃焼用空気の押し込みを防止することで、不着火として安全性を一層高める。【解決手段】内側水管列７を構成する内側水管５，５間の隙間は、下端部を残して内側縦ヒレ９で閉塞される。外側水管列８を構成する外側水管６，６間の隙間は、上端部を残して外側縦ヒレ１１で閉塞される。内側縦ヒレ９の下端部と外側縦ヒレ１１の上端部との間において、内側水管列７と外側水管列８との間には、上向き流路２９が形成される。燃料の密度をγ、重力加速度をｇ、上向き流路２９の高さをｈ、送風機２６の最大吐出圧をＰ１とするとき、γ×ｇ×ｈ＞Ｐ１の関係式を満たすように、送風機２６の選定、送風機２６をインバータ制御する場合の周波数の設定、または上向き流路２９の高さｈの設定がなされる。【選択図】図２
2014025697.tif 000002
【特許請求の範囲】
【請求項１】
液体燃料を燃焼させるボイラにおいて、
上部管寄せと下部管寄せとの間に円筒状に配列されて伝熱管列を構成する複数の伝熱管と、
前記伝熱管列を取り囲むように、前記上部管寄せと前記下部管寄せとの間に設けられる円筒状の缶体カバーとを備え、
燃焼ガスは、内外の伝熱管列間の上向き流路、または前記伝熱管列と前記缶体カバーとの間の上向き流路を介して、缶体カバー外へ排出され、
前記上向き流路内の所定高さまでバーナからの未燃燃料が炉内底部に溜まった場合、送風機による炉内への燃焼用空気の押し込みが阻止されることで、不着火にさせて運転を停止させる
ことを特徴とするボイラ。
【請求項２】
前記上部管寄せと前記下部管寄せとの間に、内側伝熱管列と外側伝熱管列とが同心円筒状に配列されて設けられ、
前記内側伝熱管列は、複数の内側伝熱管が円筒状に配列されると共に、隣接する前記内側伝熱管間の隙間が下端部を残して内側縦ヒレで閉塞されて構成され、
前記外側伝熱管列は、複数の外側伝熱管が円筒状に配列されると共に、隣接する前記外側伝熱管間の隙間が上端部を残して外側縦ヒレで閉塞されて構成され、
前記上向き流路は、前記内側縦ヒレの下端部と前記外側縦ヒレの上端部との間において、前記内側伝熱管列と前記外側伝熱管列との間で構成される
ことを特徴とする請求項１に記載のボイラ。
【請求項３】
請求項１または請求項２に記載のボイラの設計方法であって、
燃料の密度をγ、重力加速度をｇ、前記上向き流路の高さをｈ、送風機の最大吐出圧をＰ１とするとき、γ×ｇ×ｈ＞Ｐ１の関係式を満たすように、送風機の選定、送風機をインバータ制御する場合の周波数の設定、送風機の運転中の最大吐出圧の設定、または前記上向き流路の高さｈの設定を行う
ことを特徴とするボイラの設計方法。
【請求項４】
請求項１または請求項２に記載のボイラの設計方法であって、
燃料の密度をγ、重力加速度をｇ、前記上向き流路の高さをｈ、送風機の運転中の最大吐出圧をＰ２とするとき、γ×ｇ×ｈ＞Ｐ２の関係式を満たすように、送風機の選定、送風機をインバータ制御する場合の周波数の設定、送風機の運転中の最大吐出圧の設定、または前記上向き流路の高さｈの設定を行う
ことを特徴とするボイラの設計方法。
【発明の詳細な説明】
【技術分野】
【０００１】
本発明は、蒸気ボイラ、温水ボイラおよび熱媒ボイラを含む各種ボイラと、その設計方法に関するものである。特に、液体燃料を燃焼させるボイラと、その設計方法に関するものである。
【背景技術】
【０００２】
従来、下記特許文献１に開示されるように、内側水管列（７）と外側水管列（８）とを同心円筒状に備え、内側水管列（７）には、下端部の設定領域を残して、隣接する内側水管（５，５）間の隙間を閉塞するように、内側縦ヒレ（９）が設けられる一方、外側水管列（８）には、上端部の設定領域を残して、隣接する外側水管（６，６）間の隙間を閉塞するように、外側縦ヒレ（１１）が設けられたボイラ（１）が知られている。
【０００３】
この種のボイラ（１）では、バーナ（１７）による燃焼ガスは、内側水管列（７）の下端部における隙間（１０）を介して、内側水管列（７）と外側水管列（８）との隙間を上方へ進み、外側水管列（８）の上端部における隙間（１２）を介して外方へ導出される。その後、排ガスとして、缶体カバー（１３）に接続された煙道（１４）を介して、外部へ排出される。
【先行技術文献】
【特許文献】
【０００４】
【特許文献１】特開２００８−２６７７１３号公報
【発明の概要】
【発明が解決しようとする課題】
【０００５】
灯油、軽油または重油などの液体燃料を燃焼させるバーナの場合、空燃比の乱れなどに伴い、炉内下部に未燃燃料が溜まるおそれがある。その未燃燃料は、炉内圧力により、燃焼ガスの流路に沿って押し出され、缶体カバーと煙道（またはエコノマイザ）との接続部などから、炉外に漏れ出るおそれもある。
【０００６】
本発明が解決しようとする課題は、炉内に未燃燃料が所定以上溜まった場合には、送風機による炉内への燃焼用空気の押し込みを防止することで、不着火として安全性を一層高めることを課題とする。
【課題を解決するための手段】
【０００７】
本発明は、前記課題を解決するためになされたもので、請求項１に記載の発明は、液体燃料を燃焼させるボイラにおいて、上部管寄せと下部管寄せとの間に円筒状に配列されて伝熱管列を構成する複数の伝熱管と、前記伝熱管列を取り囲むように、前記上部管寄せと前記下部管寄せとの間に設けられる円筒状の缶体カバーとを備え、燃焼ガスは、内外の伝熱管列間の上向き流路、または前記伝熱管列と前記缶体カバーとの間の上向き流路を介して、缶体カバー外へ排出され、前記上向き流路内の所定高さまでバーナからの未燃燃料が炉内底部に溜まった場合、送風機による炉内への燃焼用空気の押し込みが阻止されることで、不着火にさせて運転を停止させることを特徴とするボイラである。
【０００８】
請求項１に記載の発明によれば、炉内に未燃燃料が所定以上溜まった場合には、送風機による炉内への燃焼用空気の押し込みが不能となるので、不着火により安全性を一層高めることができる。
【０００９】
請求項２に記載の発明は、前記上部管寄せと前記下部管寄せとの間に、内側伝熱管列と外側伝熱管列とが同心円筒状に配列されて設けられ、前記内側伝熱管列は、複数の内側伝熱管が円筒状に配列されると共に、隣接する前記内側伝熱管間の隙間が下端部を残して内側縦ヒレで閉塞されて構成され、前記外側伝熱管列は、複数の外側伝熱管が円筒状に配列されると共に、隣接する前記外側伝熱管間の隙間が上端部を残して外側縦ヒレで閉塞されて構成され、前記上向き流路は、前記内側縦ヒレの下端部と前記外側縦ヒレの上端部との間において、前記内側伝熱管列と前記外側伝熱管列との間で構成されることを特徴とする請求項１に記載のボイラである。
【００１０】
請求項２に記載の発明によれば、上向き流路は、内側縦ヒレの下端部と外側縦ヒレの上端部との間において、内側伝熱管列と外側伝熱管列との間で構成される。これにより、簡易な構成で、上向き流路の形成と、その高さ設定を行うことができる。
【００１１】
請求項３に記載の発明は、請求項１または請求項２に記載のボイラの設計方法であって、燃料の密度をγ、重力加速度をｇ、前記上向き流路の高さをｈ、送風機の最大吐出圧をＰ１とするとき、γ×ｇ×ｈ＞Ｐ１の関係式を満たすように、送風機の選定、送風機をインバータ制御する場合の周波数の設定、送風機の運転中の最大吐出圧の設定、または前記上向き流路の高さｈの設定を行うことを特徴とするボイラの設計方法である。
【００１２】
請求項３に記載の発明によれば、送風機の選定、送風機をインバータ制御する場合の周波数の設定、送風機の運転中の最大吐出圧の設定、および上向き流路の高さｈの設定の内、いずれか一以上を調整することで、送風機を最大吐出圧で運転しても、上向き流路の上端まで未燃燃料を押し上げられないことになる。これにより、炉内に未燃燃料が所定以上溜まった場合には、送風機による炉内への燃焼用空気の押し込みが不能となるので、不着火により安全性を一層高めることができる。また、炉外への燃料漏れを確実に防止することができる。
【００１３】
請求項４に記載の発明は、請求項１または請求項２に記載のボイラの設計方法であって、燃料の密度をγ、重力加速度をｇ、前記上向き流路の高さをｈ、送風機の運転中の最大吐出圧をＰ２とするとき、γ×ｇ×ｈ＞Ｐ２の関係式を満たすように、送風機の選定、送風機をインバータ制御する場合の周波数の設定、送風機の運転中の最大吐出圧の設定、または前記上向き流路の高さｈの設定を行うことを特徴とするボイラの設計方法である。
【００１４】
請求項４に記載の発明によれば、送風機の選定、送風機をインバータ制御する場合の周波数の設定、送風機の運転中の最大吐出圧の設定、および上向き流路の高さｈの設定の内、いずれか一以上を調整することで、ボイラの運転中、送風機の吐出圧が最大となる際にも、上向き流路の上端まで未燃燃料を押し上げられないことになる。これにより、炉内に未燃燃料が所定以上溜まった場合には、送風機による炉内への燃焼用空気の押し込みが不能となるので、不着火により安全性を一層高めることができる。また、炉外への燃料漏れを確実に防止することができる。
【発明の効果】
【００１５】
本発明によれば、炉内に未燃燃料が所定以上溜まった場合には、送風機による炉内への燃焼用空気の押し込みを防止することで、不着火となるので安全性を一層高めることができる。
【図面の簡単な説明】
【００１６】
【図１】本発明のボイラの一実施例を示す概略縦断面図である。
【図２】図１のボイラに未燃燃料が溜まった状態を示す概略縦断面図である。
【図３】図１のボイラの送風機の性能曲線の一例を示す図である。
【発明を実施するための形態】
【００１７】
以下、本発明の具体的実施例を図面に基づいて詳細に説明する。
図１は、本発明のボイラの一実施例を示す概略縦断面図である。本実施例のボイラ１は、円筒状の缶体２を備えた多管式の貫流ボイラである。缶体２は、上部管寄せ３と下部管寄せ４との間を、円筒状に配列された多数の水管（伝熱管）５，６で接続して構成される。
【００１８】
上部管寄せ３と下部管寄せ４とは、上下に離隔して平行に配置され、それぞれ中空の円環状とされている。また、上部管寄せ３と下部管寄せ４とは、それぞれ水平に配置されると共に、同一軸線上に配置される。
【００１９】
各水管５，６は、垂直に配置され、上端部が上部管寄せ３に接続される一方、下端部が下部管寄せ４に接続される。各水管５，６は、上部管寄せ３と下部管寄せ４との周方向へ順次に配列されることで、円筒状の水管列７，８を構成する。本実施例では、内側水管列７と外側水管列８とが同心円筒状に設けられる。内側水管列７は、円筒状に配列された内側水管５，５，…にて構成される。一方、外側水管列８は、内側水管列７を取り囲むように、円筒状に配列された外側水管６，６，…にて構成される。
【００２０】
内側水管列７には、下端部の設定領域を残して、隣接する内側水管５，５間の隙間を閉塞するように、内側縦ヒレ９が設けられる。つまり、内側水管５，５間の隙間は、下端部の設定領域を残して、内側縦ヒレ９にて閉塞される。内側水管列７は、内側縦ヒレ９が設けられない下端部において、隣接する内側水管５，５間に隙間が空けられる。この隙間は、内側水管列７の内側と外側とを連通するための連通部（内列連通部という）１０とされる。
【００２１】
外側水管列８には、上端部の設定領域を残して、隣接する外側水管６，６間の隙間を閉塞するように、外側縦ヒレ１１が設けられる。つまり、外側水管６，６間の隙間は、上端部の設定領域を残して、外側縦ヒレ１１にて閉塞される。外側水管列８は、外側縦ヒレ１１が設けられない上端部において、隣接する外側水管６，６間に隙間が空けられる。この隙間は、外側水管列８の内側と外側とを連通するための連通部（外列連通部という）１２とされる。
【００２２】
各内側水管５や各外側水管６には、その周側面に所望により突部を設けて、伝熱面積の拡大を図ってもよい。たとえば、各内側水管５には、円筒状の内側水管列７の外周面を構成する面に、横ヒレやスタッドを設けたり、各外側水管６には、円筒状の外側水管列８の内周面を構成する面に、横ヒレやスタッドを設けたりしてもよい。なお、各内側水管５および／または各外側水管６に横ヒレを設ける場合、横ヒレは、水平状態に設置してもよいし、缶体２の周方向一方へ行くに従って上方へ傾斜して設けてもよい。
【００２３】
上部管寄せ３と下部管寄せ４との間にはさらに、外側水管列８を取り囲むように、円筒状の缶体カバー１３が設けられる。図示例では、缶体カバー１３は、内筒１４と、それより大径の外筒１５とから構成される。内筒１４は、下端部が下部管寄せ４に固定され、上端部が外列連通部１２の下端部と対応する高さに配置される。一方、外筒１５は、上端部が上部管寄せ３に固定され、下端部が内筒１４の上下方向中途部と対応する高さに配置される。このようにして、缶体カバー１３は、内筒１４の下端部が下部管寄せ４との隙間を封止され、外筒１５の上端部が上部管寄せ３との隙間を封止される。また、外筒１５の下端部において、内筒１４と外筒１５との隙間が封止される。さらに、缶体カバー１３の内筒１４と、外側水管列８との間の円筒状隙間には、断熱材１６が充填される。
【００２４】
缶体カバー１３の外筒１５には、周方向一部において、煙道１７が接続される。さらに、ボイラ１には、缶体カバー１３を取り囲むように、円筒状のケーシング１８が設けられる。このケーシング１８を貫通して、煙道１７が缶体２の外方へ導出される。
【００２５】
上部管寄せ３の下面および下部管寄せ４の上面には、各管寄せ３，４と各水管５，６との接続部を覆うように、耐火材１９，１９が設けられる。この際、下部管寄せ４側の耐火材１９は、下部管寄せ４の中央部をも閉塞するように設けられる。下部管寄せ４側の耐火材１９の中央部には、逆円錐台状の凹部２０が形成されている。
【００２６】
ところで、図示例では、各内側水管５は、内列連通部１０と対応した位置に、小径部２１を有する。これは、燃焼ガスが内列連通部１０を介して内外の水管列７，８間の燃焼ガス流路２２へ入る際の圧力損失を減少させるためである。一方、図示例では、各外側水管６は、外列連通部１２と対応した位置に小径部を有しないが、各内側水管５と同様に小径部を有してもよい。
【００２７】
上部管寄せ３の中央部には、下方へ向けてバーナ２３が設けられる。このバーナ２３には、液体燃料（たとえばＡ重油）が供給されると共に、燃焼用空気が供給される。具体的には、缶体２内へは、液体燃料が燃料ポンプ２４および燃料弁２５を介してバーナ２３から噴霧されると共に、燃焼用空気が送風機２６からウィンドボックス２７を介して吐出される。従って、噴霧される燃料に点火装置（図示省略）で着火すれば、缶体２内において燃料の燃焼が図られる。この際、内側水管列７の内側は、燃焼室２８として機能する。なお、燃料および燃焼用空気の流量を変えることで、燃焼量の調整が可能とされる。その際、燃焼用空気の流量は、送風機２６のモータ（図示省略）をインバータ制御してもよいし、それに代えてまたはそれに加えて、送風機２６からウィンドボックス２７への送風路に設けたダンパ（図示省略）の開度を調整してもよい。
【００２８】
燃焼室で２８の燃料の燃焼による燃焼ガスは、内列連通部１０を介して、内側水管列７と外側水管列８との間の燃焼ガス流路２２へ導出される。そして、その燃焼ガスは、外列連通部１２を介して缶体カバー１３へ導出される。その後、缶体カバー１３に接続された煙道１７を介して、排ガスとして外部へ排出される。この間、燃焼ガスは各水管５，６内の水と熱交換し、各水管５，６内の水は加熱が図られる。これにより、上部管寄せ３から蒸気を取り出すことができ、その蒸気は気水分離器（図示省略）などを介して、蒸気使用設備（図示省略）へ送られる。ところで、煙道１７には、エコノマイザを設置してもよい。
【００２９】
なお、内側水管列７と外側水管列８との間の燃焼ガス流路２２の内、内側縦ヒレ９の下端部から外側縦ヒレ１１の上端部までの領域を、上向き流路２９ということにする。つまり、上向き流路２９とは、燃焼ガス流路２２の内、図１において、高さｈで示された領域をいう。
【００３０】
図２は、本実施例のボイラ１を運転中、万一、空燃比の乱れなどに伴い、炉内に未燃燃料３０が溜まった状態を示している。未燃燃料３０は、燃焼室２８内の底部に溜まるが、量が増すと、炉内圧力により上向き流路２９を上方へ進むように溜まっていくことになる。但し、本実施例のボイラ１は、万一このような事態になっても、その未燃燃料３０が上向き流路２９を超えて缶体２外へ押し出されないように構成される。
【００３１】
すなわち、バーナ２３からの未燃燃料３０が炉内底部に溜まった場合でも、上向き流路２９を超えて未燃燃料３０を押し出せない炉内圧力で運転する。たとえば、本実施例のボイラ１は、燃料の密度をγ、重力加速度をｇ、上向き流路２９の高さをｈ、送風機２６の性能上の最大吐出圧をＰ１とするとき、γ×ｇ×ｈ＞Ｐ１の関係式を満たすよう構成される。あるいは、本実施例のボイラ１は、燃料の密度をγ、重力加速度をｇ、上向き流路２９の高さをｈ、送風機２６の運転中の最大吐出圧をＰ２とするとき、γ×ｇ×ｈ＞Ｐ２の関係式を満たすよう構成される。いずれの場合も、前記関係式を満たすように、送風機２６を選定したり、もしくは送風機２６をインバータ制御する場合の周波数を設定したり、または上向き流路２９の高さｈを定めたりすればよい。
【００３２】
たとえば、燃料としてＡ重油（密度０．８６ｇ／ｃｍ３）を用い、上向き流路２９の高さｈを９３５ｍｍとする場合、０．８６×９．８×９３５＝７８８０Ｐａとなるので、送風機２６の吐出圧を７８８０Ｐａ未満で運転させればよいことになる。
【００３３】
このような構成の場合、炉内に未燃燃料が溜まっても、炉内圧力との関係で、高さｈの上向き流路２９の上端まで燃料を押し上げることができない。これにより、炉外への燃料の流出を防止することができる。また、送風機２６による炉内への燃焼用空気の押し込みが阻止されるので、不着火にさせてボイラ１の運転を停止させることで、安全性を高めることができる。
【００３４】
図３は、送風機２６の性能曲線の一例を示す図であり、横軸は風量、縦軸は静圧を示している。このような性能曲線から送風機２６の最大吐出圧Ｐ１が分かるので、上述した関係式γ×ｇ×ｈ＞Ｐ１を満たすように、送風機２６を選定するか、上向き流路２９の高さｈを決めればよい。
【００３５】
また、最大吐出圧Ｐ１未満で送風機２６を運転する場合、運転中の最大吐出圧Ｐ２により、上述した関係式γ×ｇ×ｈ＞Ｐ２を満たすように、送風機２６を選定するか、運転中の最大吐出圧Ｐ２を決定するか、上向き流路２９の高さｈを決めればよい。
【００３６】
また、送風機２６をインバータ制御する場合も同様に、たとえば図３において破線で示す性能曲線で運転する場合、その最大吐出圧Ｐ１´を用いて、関係式γ×ｇ×ｈ＞Ｐ１´を満たすように設計すればよいし、最大吐出圧Ｐ１´未満で運転する場合、運転中の最大吐出圧Ｐ２´を用いて、関係式γ×ｇ×ｈ＞Ｐ２´を満たすように設計すればよい。その際、上向き流路２９の高さｈを先に決めて、送風機２６をインバータ制御する場合の周波数（図３における破線）を設定したり、性能曲線中のどの範囲で運転するかを設計したりすればよい。
【００３７】
本発明のボイラ１は、前記実施例の構成に限らず、適宜変更可能である。特に、上向き流路２９をいずれかの箇所に有し、その上向き流路２９の高さと、炉内圧力との関係で、上向き流路２９の上端まで送風機２６で液体燃料を押し上げられない構成であれば、ボイラ１の構成は適宜に変更可能である。たとえば、外側水管列８を省略して、内側水管列７と缶体カバー１３との間に上向き流路２９を形成してもよい。その場合、上向き流路２９は、内側縦ヒレ９の下端から、内筒１４の上端（または缶体カバー１３が単なる円筒状の場合、缶体カバー１３から煙道１７への開口部の下端）までの高さとなる。
【００３８】
また、蒸気ボイラや温水ボイラ以外でも、たとえば熱媒ボイラにも適用することができる。この場合、前記実施例において、水管を伝熱管、水管列を伝熱管列と言い換えることができる。
【符号の説明】
【００３９】
１  ボイラ
２  缶体
３  上部管寄せ
４  下部管寄せ
５  内側水管（内側伝熱管）
６  外側水管（外側伝熱管）
７  内側水管列（内側伝熱管列）
８  外側水管列（外側伝熱管列）
９  内側縦ヒレ
１１  外側縦ヒレ
１３  缶体カバー
２２  燃焼ガス流路
２３  バーナ
２６  送風機
２９  上向き流路
３０  未燃燃料
【図１】
2014025697.tif 000003
【図２】
2014025697.tif 000004
【図３】
2014025697.tif 000005